(57)【要約】【課題】  偏心位置や揺動角度を、種々の被攪拌物に合わせて容易に変更でき、簡単で且つ安価に構成する。【解決手段】  基台２と、該基台２の両側に立設された側板３と、基台２の略中央部に軸支された上下方向の駆動軸１７と、その中央部が駆動軸１７に固定された回転板１８と、該回転板１８の略中央部において軸支された上下方向の回動軸２５と、該回動軸２５に揺動可能に支持された揺動テーブル４９と、該揺動テーブル４９が揺動できるように、揺動テーブル４９と基台２の両側板３とを連結した連結部材５０と、揺動テーブル４９に設けられた被攪拌物Ａの容器５１とを備えた攪拌機において、回動軸２５を移動可能に構成にして、駆動軸１７の回転軸心に対する回動軸２５の回転軸心の偏心距離を調整する偏心距離調整部３０と、回動軸２５の回転軸心の角度調整部４５とを設ける。【選択図】    図１
2005342680.tif 000002
【特許請求の範囲】
【請求項１】
基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、
回動軸を移動可能な構成にして、駆動軸の回転軸心に対する回動軸の回転軸心の偏心距離を調整する偏心距離調整部が設けられてなることを特徴とする攪拌機。
【請求項２】
偏心距離調整部は、回転板に設けられた偏心用移動体と、該偏心用移動体に連結され、且つ、回転板の中心線に沿って進退可能に設けられた偏心距離調整棒と、回転板に穿設されたガイド穴と、該ガイド穴に挿通された偏心用移動体の挿通部と、偏心用移動体の挿通部に穿設された挿通穴と、回転板に進退可能に設けられ、且つ、偏心用移動体の挿通穴に係脱可能な係止棒とから構成されてなることを特徴とする請求項１に記載の攪拌機。
【請求項３】
基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、
回動軸の回転軸心の角度調整部が設けられてなることを特徴とする攪拌機。
【請求項４】
角度調整部は、回転板に設けられた揺動用移動体と、回転板の上面に立設された支持板と、該支持板に架設され、且つ、回動軸の上端部が回動可能に支持された支持ピンと、揺動用移動体に設けられた回動軸の下端部の球面軸受け部と、揺動用移動体に連結され、且つ、回転板の中心線に沿って進退可能に設けられた揺動角度調整棒とから構成されてなることを特徴とする請求項３に記載の攪拌機。
【請求項５】
基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、
回動軸を移動可能な構成にして、駆動軸の回転軸心に対する回動軸の回転軸心の偏心距離を調整する偏心距離調整部と、回動軸の回転軸心の角度調整部とが設けられてなることを特徴とする攪拌機。
【請求項６】
偏心距離調整部が、回転板に設けられた偏心用移動体と、該偏心用移動体に連結され、且つ、回転板の中心線に沿って進退可能に設けられた偏心距離調整動棒と、回転板に穿設されたガイド穴と、ガイド穴に挿通された偏心用移動体の挿通部と、偏心用移動体の挿通部に穿設された挿通穴と、回転板に進退可能に設けられ、且つ、偏心用移動体の挿通穴に係脱可能な係止棒とから構成され、
角度調整部が、偏心用移動体に設けられた揺動用移動体と、偏心用移動体の上面に立設された支持板と、該支持板に架設され、且つ、回動軸の上端部が回動可能に支持された支持ピンと、揺動用移動体に設けられた回動軸の下端部の球面軸受け部と、揺動用移動体に連結され、且つ、回転板の中心線に沿って進退可能に設けられた揺動角度調整棒とから構成されてなることを特徴とする請求項５に記載の攪拌機。
【請求項７】
連結部材として、ゴム板が使用され、該ゴム板が、揺動テーブルと基台の両側板との間で撓みをもつように連結されてなることを特徴とする請求項１乃至６のいずれか１項に記載の攪拌機。
【請求項８】
容器として、コンクリート製品の型枠が使用されてなることを特徴とする請求項１乃至７のいずれか１項に記載の攪拌機。
【請求項９】
駆動軸の回転数が最大５００ｒｐｍであることを特徴とする請求項１乃至８のいずれか１項に記載の攪拌機。
【発明の詳細な説明】
【技術分野】
【０００１】
本発明は、缶、瓶などの容器に収容された流体や液体などの被攪拌物を攪拌する攪拌機に関する。
【背景技術】
【０００２】
従来の攪拌機は、駆動源としてのモータの出力軸に対して、揺動体のシャフトを偏心させて若干傾斜させる揺動機構と、該揺動体の支持手段と、被攪拌物が収容された缶や容器の挟持手段とから構成されているものが公知になっている（例えば、特許文献１参照）。
【０００３】
揺動機構は、モータの出力軸に連結された回転プレートと、該回転プレートの上面に固着された楔形状の偏心プレートとを備えている。この偏心プレートには、揺動体のシャフトが遊挿される受け穴が、モータの出力軸に対して偏心した位置に形成されている。
【０００４】
そして、揺動体の回転軸心は、偏心プレートの傾斜面や受け穴によって、モータの出力軸に対して偏心した位置で若干傾斜した状態で支持されることになる。したがって、揺動体は、円錐振り子状の軌跡を描いて揺動することになる。
【０００５】
【特許文献１】特許第３１５４６７３号公報（第１―６頁、図１乃至図８）
【発明の開示】
【発明が解決しようとする課題】
【０００６】
しかしながら、従来の攪拌機の場合、偏心プレートが回転プレートに固着されているため、揺動体の偏心位置や傾斜角度を、比重や粘性の異なる種々の被攪拌物に合わせて容易に変更できないという問題点がある。
【０００７】
しかも、攪拌機全体の構造が複雑でコスト高になるという問題もある。
【０００８】
そこで、本発明は上記問題点に鑑み、偏心位置や揺動角度を、種々の被攪拌物に合わせて容易に変更でき、簡単で且つ安価に構成できる攪拌機を提供することを目的とする。
【課題を解決するための手段】
【０００９】
上記課題を解決するために、本発明の攪拌機は、請求項１に示す如く、基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、回動軸を移動可能な構成にして、駆動軸の回転軸心に対する回動軸の回転軸心の偏心距離を調整する偏心距離調整部が設けられてなるものである。
【００１０】
したがって、駆動軸の回転軸心に対する回動軸の回転軸心の偏心距離を変化させることで、種々の偏心揺動が得られるようになる。
【００１１】
また、請求項２に示す如く、偏心距離調整部を、回転板に設けられた偏心用移動体と、該偏心用移動体に連結され、且つ、回転板の中心線に沿って進退可能に設けられた偏心距離調整棒と、回転板に穿設されたガイド穴と、該ガイド穴に挿通された偏心用移動体の挿通部と、偏心用移動体の挿通部に穿設された挿通穴と、回転板に進退可能に設けられ、且つ、偏心用移動体の挿通穴に係脱可能な係止棒とから構成するようにしてもよい。
【００１２】
この場合、回転板の中心線に沿って進退可能に設けられた偏心距離調整棒を偏心用移動体に連結すれば、偏心用移動体の移動が可能になる。この偏心用移動体の移動を、偏心用移動体の挿通部と、偏心用移動体の挿通部が挿通されるガイド穴とによってガイドすると共に、偏心用移動体の挿通穴に係止棒を挿通して、偏心用移動体の位置決めをすれば、回転板の中心線に沿った偏心用移動体の移動、即ち駆動軸の回転軸心に対する回動軸の回転軸心の偏心距離の調整が簡単な構成で容易に行われるようになる。
【００１３】
さらに、請求項３に示す如く、基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、回動軸の回転軸心の角度調整部を設けるようにしたものである。
【００１４】
よって、駆動軸の回転による遠心力に加えて、偏心し且つ傾斜した回動軸の回転によって、前記遠心力が複雑に変化することになって、攪拌力が促進されることになる。
【００１５】
加えて、請求項４に示す如く、角度調整部を、回転板に設けられた揺動用移動体と、回転板の上面に立設された支持板と、該支持板に架設され、且つ、回動軸の上端部が回動可能に支持された支持ピンと、揺動用移動体に設けられた回動軸の下端部の球面軸受け部と、揺動用移動体に連結され、且つ、回転板の中心線に沿って進退可能に設けられた揺動角度調整棒とから構成するようにしてもよい。
【００１６】
この場合、揺動角度調整棒によって、球面軸受け部を回転板の中心線に沿って移動させることで、回動軸の下端部、即ち揺動中心が駆動軸の回転軸心から偏心する一方、回動軸の下端部が球面軸受け部を支点として回動する共に、回動軸の上端部が支持ピンを支点として回動することになり、回動軸が偏心位置で傾斜することになる。
【００１７】
また、請求項５に示す如く、基台と、該基台の両側に立設された側板と、基台の略中央部に軸支された上下方向の駆動軸と、その中央部が駆動軸に固定された回転板と、該回転板の略中央部において軸支された上下方向の回動軸と、該回動軸に揺動可能に支持された揺動テーブルと、該揺動テーブルが揺動できるように、揺動テーブルと基台の両側板とを連結した連結部材と、揺動テーブルに設けられた被攪拌物の容器とを備えた攪拌機において、回動軸を移動可能な構成にして、駆動軸の回転軸心に対する回動軸の回転軸心の偏心距離を調整する偏心距離調整部と、回動軸の回転軸心の角度調整部とが設けられてなるものである。
【００１８】
そうすれば、駆動軸に対する回動軸の偏心距離の調整に加えて、回動軸の回転軸心の角度調整することで、より複雑な揺動が得られるようになる。
【００１９】
さらに、請求項６に示す如く、偏心距離調整部を、回転板に設けられた偏心用移動体と、該偏心用移動体に連結され、且つ、回転板の中心線に沿って進退可能に設けられた偏心距離調整棒と、回転板に穿設されたガイド穴と、ガイド穴に挿通された偏心用移動体の挿通部と、偏心用移動体の挿通部に穿設された挿通穴と、回転板に進退可能に設けられ、且つ、偏心用移動体の挿通穴に係脱可能な係止棒とから構成し、角度調整部を、偏心用移動体に設けられた揺動用移動体と、偏心用移動体の上面に立設された支持板と、該支持板に架設され、且つ、回動軸の上端部が回動可能に支持された支持ピンと、揺動用移動体に設けられた回動軸の下端部の球面軸受け部と、揺動用移動体に連結され、且つ、回転板の中心線に沿って進退可能に設けられた揺動角度調整棒とから構成するようにしてもよい。
【００２０】
偏心距離調整棒を調整するだけで、偏心用移動体を回転板の中心線に沿って移動させ、駆動軸の回転軸心に対する回動軸の回転軸心を偏心できる一方、揺動角度調整棒を調整するだけで、揺動用移動体を回転板の中心線に沿って移動させ、回動軸の回転軸心を偏心位置で傾斜できる。即ち、種々の揺動が簡単な構成で容易に可能になるため、適用範囲が大きくなる。
【００２１】
加えて、請求項７に示す如く、揺動テーブルと基台の両側板との間で撓みをもつように、連結部材としてのゴム板を連結するようにする。
【００２２】
そうすれば、揺動テーブルの回転は制止され、揺動運動に変化する。
【００２３】
また、請求項８に示す如く、容器として、コンクリート製品の型枠を使用するのが好ましい。
【００２４】
この場合、遠心力で型枠の側面方向に作用する押圧力で、コンクリートの材料が型枠の側面に集まり、気泡は内部に移動して側面の気泡は点在しなくなる。
【００２５】
さらに、請求項９に示す如く、駆動軸の回転数を最大で５００ｒｐｍとするようにしたものである。
【００２６】
したがって、駆動軸の回転数を最大５００ｒｐｍとすることで、良好な攪拌が行われる。
【発明の効果】
【００２７】
以上説明したように、本発明の攪拌機によれば、偏心距離調整部によって、偏心用移動体を回転板の中心線に沿って移動させて、駆動軸の回転軸心に対する回動軸の回転軸心の偏心距離を調整したり、角度調整部によって、回動軸の回転軸心を偏心させて傾斜させたりしたので、粘性や比重の異なる被攪拌物に合わせて攪拌できる効果がある。
【００２８】
また、揺動テーブルと基台の両側板との間で撓みをもつように、連結部材としてのゴム板を連結するようにしたため、揺動テーブルは回転せず、回動部の回転は揺動運動に変わる。
【００２９】
さらに、コンクリート製品の型枠を容器として使用すれば、生コンに内在する気泡を脱泡するのに有効で、コンクリート製品の品質向上に貢献する。
【発明を実施するための最良の形態】
【００３０】
本発明を実施するための最良の形態につき、図１〜図４を参照して説明する。本発明の攪拌機は、図１〜図３に示すように、外装部１と、該外装部１に内装された支持部５と、該支持部５の一側に設置された駆動部１０と、支持部５の略中央部に設けられた回動部１５と、該回動部１５の上方に設けられた揺動部２０と、回動部１５の回転中心に対する揺動部２０の揺動中心の偏心距離調整部３０と、揺動部２０の揺動中心の角度調整部４５と、揺動部２０によって支持された被攪拌部４８とから構成されている。
【００３１】
外装部１は、平面視矩形状の基台２と、該基台２の上面の両側に立設された側板３とを有している。なお、基台２及び側板３は、木製、金属製、合成樹脂製のいずれであってもよい。
【００３２】
支持部５は、外装部１の基台２の底部に固着された角環状の支持台６と、該支持台６に防振ゴム７を介して取り付けられた平面視略矩形状の基体８とを具備している。この支持台６及び基体８も、前記基台２と同様に、木製、金属製、合成樹脂製のいずれであってもよい。
【００３３】
駆動部１０は、駆動源としてのモータ１１と、該モータ１１の出力軸に軸着されたプーリ１２と、該出力軸のプーリ１２、及び、後述する回動軸２５のプーリ１９に捲回されるベルト１３とを備えている。
【００３４】
回動部１５は、支持部５の基体８の略中央部に設けられた固定軸受け部１６と、該固定軸受け部１６に回動可能に支持された上下方向の駆動軸１７と、駆動軸１７の上端部に固定された円板状の回転板１８と、駆動軸１７の下端部に設けられたプーリ１２とを有している。そして、モータ１１の回転力が、出力軸、ベルト１３を介して駆動軸１７に伝達されて、回転板１８が回動する。
【００３５】
揺動部２０は、回転板１８の略中央部に取り付けられた回転板１８よりも小径の略円板状の偏心用移動体２１と、該偏心用移動体２１の両側に立設された支持板２２と、該両支持板２２に水平方向に貫設された支持ピン２３と、該支持ピン２３によって、その上部が偏心用移動体２１の略中央部の上方に回動可能に支持された回動軸受け部２４と、該回動軸受け部２４に回動可能に支持された上下方向の回動軸２５と、偏心用移動体２１の略中央部（該回動軸受け部２４の真下）に設けられた回動軸２５の球面軸受け部２６とを具備している。
【００３６】
偏心距離調整部３０は、回転板１８において、回転板１８の直交する二本の中心線によって区分された四つの領域にそれぞれ形成されたガイド穴３１と、回転板１８の周面に固着され、且つ、回動軸２５の両支持板２２の側方に設けられた四枚の縦板３２と、回動軸２５の両支持板２２の下部を貫通して各縦板３２の上端部に架設された二本の支柱３３と、その略中央部が偏心用移動体２１の両側に設けられていると共に、二股状の下端部（以下挿通部３４という）が両ガイド穴３１に挿通された二枚の略逆Ｙ字形状の偏心用移動体２１の側壁部３５と、偏心用移動体２１の両側壁部３５の二股状の挿通部３４にそれぞれ穿設された挿通穴３６と、その基端部が回転板１８の周面に固着されていると共に、先端部側が隣り合う縦板３２の間に位置している回転板１８の側壁部３７と、一方の回転板１８の側壁部３７の上端部に螺合して貫通すると共に、偏心用移動体２１の側壁部３５の上端部に回動可能に支持された偏心距離調整棒としての偏心距離調整用ボルト３８と、各縦板３２の下部に螺合して貫通した係止棒としての位置固定用ボルト３９とを装備している。なお、各位置固定用ボルト３９の先端部には、偏心用移動体２１の挿通穴３６に係脱可能な楔４０が固着されている。
【００３７】
したがって、位置固定用ボルト３９を緩めて、位置固定ボルトの楔４０を偏心用移動体２１の挿通穴３６から離脱させると、偏心用移動体２１は、楔４０による固定が解除されて移動可能な状態になる。この状態で、偏心距離調整用ボルト３８を締め付けると、偏心用移動体２１が回転板１８の径方向に沿って移動することになる。ガイド穴３１を移動する偏心用移動体２１の挿通部３４の移動距離が、駆動軸１７と回動軸２５との偏心距離となる。即ち、偏心用移動体２１の移動距離を調整することで、偏心距離が調整されることになる。
【００３８】
さらに、位置固定用ボルト３９を締め付けて、位置固定ボルトの楔４０を偏心用移動体２１の挿通穴３６に押圧して係止させると、移動した偏心用移動体２１の位置が、楔４０によって固定された状態になる。即ち、偏心用移動体２１の位置決めが行われる。
【００３９】
角度調整部４５は、回転板１８において、回動軸２５の両支持板２２の取付位置に対して直交する中心線に沿って移動可能に設けられ、且つ、回動軸２５の球面軸受け部２６が内設された揺動用移動体４６と、別方の偏心用移動体２１の側壁部３５の上端部に螺合すると共に、その先端部が揺動用移動体４６の側面に回動可能に支持された揺動角度調整棒としての揺動角度調整用ボルト４７とを備えている。
【００４０】
よって、揺動角度調整用ボルト４７を締め付けたり、緩めたりすると、揺動用移動体４６が回転板１８の径内方向又は径外方向に沿って移動する。この際、回動軸２５の上端部が支持ピン２３によって回動可能であると共に、その下端部が球面軸受け部２６によって回動可能に支持される一方、回動軸２５の球面軸受け部２６が揺動用移動体４６によって移動可能であるため、回動軸２５が、図１及び図２に示す上下方向の位置から回転板１８の径内方向及び径外方向に自在に傾斜させることができる（図３参照）。つまり、後述する揺動テーブル４９を所望の揺動角度で揺動させることができる。
【００４１】
被攪拌部４８は、回動軸２５の上端部に揺動可能に支持された平面視矩形状の揺動テーブル４９と、該揺動テーブル４９の周縁部と基台２の側板３との間に撓みを持つように、揺動テーブル４９と基台２の側板３とを連結した連結部材としてのゴム板５０と、揺動テーブル４９に取り付けられた断面円形状の容器５１とを備えている。そして、容器５１の天板の中央部には、被攪拌物Ａの投入口５２が形成されると共に、該投入口５２には、開閉可能な蓋板５３が設けられている。さらに、容器５１の側板には、被攪拌物Ａの取出し口５４が形成され、上述した蓋板５３が取出し口５４にも設けられている。
【００４２】
つぎに攪拌機の使用態様について説明する。まず、図１及び図２は、攪拌機のスタンバイ状態を示している。即ち、偏心距離調整部３０の位置固定用ボルト３９の楔４０が偏心用移動体２１の挿通穴３６に挿通されて、駆動軸１７の回転軸心、回転板１８の中心、偏心用移動体２１の中心、揺動用移動体４６の中心、回動軸２５の回転軸心が同一直線上に一致している。つまり、回転板１８、偏心用移動体２１、揺動用移動体４６が同心円上に位置して、揺動テーブル４９及び容器５１が水平に支持された状態になっている。
【００４３】
このスタンバイ状態において、容器５１の蓋板５３を取り外して容器５１の投入口５２を開放し、被攪拌物Ａを容器５１の投入口５２から投入する。つぎに、偏心用移動体２１を固定した状態で、角度調整部の揺動用移動体４６を、揺動角度調整用ボルト４７によって回転板１８の中心から若干偏心させて、回動軸２５を所望の角度に傾斜させた状態にする。
【００４４】
つぎに、モータ１１を駆動させると、モータ１１の出力軸、出力軸のプーリ１２、ベルト１３、駆動軸１７のプーリ１９を介して回動軸２５にモータ１１の駆動力が伝達され、回転板１８及び偏心用移動体２１が回動し、揺動テーブル４９が上述した揺動角度をもって略円錐振り子状の軌跡を描いて揺動することになる。
【００４５】
この際、被攪拌物Ａは、遠心力によって容器５１の壁面に押圧される一方、この押圧力が回動軸２５の揺動によって複雑に変化して、効率よく攪拌されることになる。攪拌された被攪拌物Ａは、容器５１の取出し口５４から取出される。
【００４６】
そして、大きな揺動運動が必要な被攪拌物Ａにあっては、偏心用移動体２１の挿通穴３６から位置固定用ボルト３９の楔４０を離脱させて、偏心用移動体２１の固定状態を解除し、偏心用移動体２１を回転板１８の径方向に沿ってスライドさせ、駆動軸１７の回転軸心と回動軸２５の回転軸心との距離を大きくとればよい。
【００４７】
このように、本発明の攪拌機によれば、揺動角度や偏心距離を、被攪拌物Ａの比重や粘性に合わせて簡単に調整することができるので、種々の被攪拌物Ａの攪拌に容易に対処できる。また、被攪拌物Ａ自体を揺動しているため、騒音が小さく、容器５１の内部に攪拌羽を設けていないため、被攪拌物Ａを損傷させることがない。
【００４８】
なお、前記実施形態の場合、図１に示す容器５１を攪拌揺動するようにしたが、図４に示すように、容器５１として、セメント、砂利、砂、水を混練した所謂生コンが投入された型枠５５を使用し、該型枠５５を揺動テーブル４９に取り付けるようにしてもよい。
【００４９】
この場合、例えば、２００×２００×６００の型枠５５を使用し、回動軸２５の角度を０度、即ち回動軸２５が直立した状態で生コンを投入し、０ｒｐｍから３００ｒｐｍに回転数を上げながら１０秒程度攪拌する。その後、３００ｒｐｍの回転数を維持した状態で、回動軸２５を徐々に３度に傾斜させて２０秒程度攪拌する。つぎに、回転数を３００ｒｐｍから０ｒｐｍに下げながら１０秒程度攪拌する一方、回動軸２５を０度に戻しながら表面をコテでならして終了する。
【００５０】
攪拌の際、生コンが遠心力によって型枠５５の壁面に繰り返し押圧され、生コンに内在する気泡が外部に放出されて、脱泡されるようになる。よって、製品には、気泡や陥没がなく、コンクリート成形品の商品価値が向上する。また、本発明の攪拌機は、バイブレーション機能を有する従来のテーブルバイブレータに比して運転時の騒音が極めて低減されており、作業環境にやさしい。
【００５１】
さらに、上述したコンクリート製品の型枠５５の他、側溝、排水溝などの複雑な構造の型枠５５にも適用できるのは言うまでもない。
【００５２】
また、前記実施形態の場合、揺動角度の調整、及び、偏心距離の調整をボルトによって行うようにしたが、小型モータを使用して、遠隔操作で自動調整するようにしてもよい。例えば、小型モータの回転角度をパルス幅によって制御し、揺動角度及び偏心距離を調整するようにしてもよい。
【００５３】
さらに、角度調整部４５、及び、偏心距離調整部３０の構成は図示に限定されるものではなく、例えば、回動軸２５の角度調整にあっては、回動軸２５の回動軸受け部２４に植設されたねじ棒と、回動軸２５の回動軸受け部２４の側方に設けられた扇形状のガイド板と、該ガイド板に穿設された円弧状のガイド穴３１と、該ガイド穴３１に遊挿されたねじ棒に螺合するナットとによって構成するようにしてもよい。一方、偏心距離の調整にあっては、回転板１８の上面の両側にレールを設け、偏心用移動体２１をレールに沿って移動可能に設け、偏心用移動体２１を貫通したねじ棒の先端部をレールに当接させて、偏心用移動体２１の位置決めを行うようにしてもよい。要するに、角度調整部４５、及び、偏心距離調整部３０の構成としては、回動軸２５の角度、及び、偏心用移動体２１の移動距離を簡単に調整できる構成であればよい。
【００５４】
加えて、前記実施形態の場合、モータ１１の回転速度を一定としたが、モータ１１の回転速度を所定の周期で変化させて揺動運動による攪拌をより一層促進させるようにしてもよい。
【００５５】
また、前記実施形態の場合、容器５１は、被攪拌物Ａを収容するのみであったが、回動可能な攪拌棒を容器５１の天板に設けるようにしてもよい。
【産業上の利用可能性】
【００５６】
本発明の攪拌機は、フラスコやビーカに収容された液体の攪拌、果実と種の選別篩い機、アミューズメント施設の乗物、食器洗い機に使用される散水装置、玩具、揺動する看板などに利用できる。
【図面の簡単な説明】
【００５７】
【図１】本発明の攪拌機の斜視図である。
【図２】図１の縦断面図である。
【図３】（Ａ）、（Ｂ）は、揺動している状態を示した断面図である。
【図４】（Ａ）は、生コンを型枠に投入して攪拌する状態を示した斜視図、（Ｂ）は、生コンを脱泡する状態を示した斜視図である。
【符号の説明】
【００５８】
１  外装部
２  基台
３  側板
５  支持部
６  支持台
７  防振ゴム
８  基体
１０  駆動部
１１  モータ
１２  プーリ
１３  ベルト
１５  回動部
１６  固定軸受け部
１７  駆動軸
１８  回転板
１９  プーリ
２０  揺動部
２１  偏心用移動体
２２  支持板
２３  支持ピン
２４  回動軸受け部
２５  回動軸
２６  球面軸受け部
３０  偏心距離調整部
３１  ガイド穴
３２  縦板
３３  支柱
３４  下端部（挿通部）
３５  偏心用移動体の側壁部
３６  挿通穴
３７  回転板の側壁部
３８  偏心距離調整用ボルト（偏心距離調整棒）
３９  位置固定用ボルト
４０  楔
４５  角度調整部
４６  揺動用移動体
４７  揺動角度調整用ボルト（揺動角度調整棒）
４８  被攪拌部
４９  揺動テーブル
５０  ゴム板（連結部材）
５１  容器
５２  投入口
５３  蓋板
５４  取出し口
５５  型枠（容器）
Ａ  被攪拌物
【図１】
2005342680.tif 000003
【図２】
2005342680.tif 000004
【図３】
2005342680.tif 000005
【図４】
2005342680.tif 000006